(57)【要約】【課題】使用時に櫛付きキャップを容器本体に利用者が確実に組み付け、常に正常な機能を発揮できる使い勝手の良好な櫛付き二重容器を提供すること。【解決手段】櫛付きキャップを容器本体に所定位置までねじ込んだとき、櫛付きキャップが容器本体に確実に取り付けられており、二重容器の櫛付き容器として正常に使用可能となったことが外観上見て取れるように櫛付き容器を形成した。例えば櫛付きキャップと容器本体の側面にそれぞれ対応する印を設け、正しく組み付けられたときに両者の位置が揃うようにする。印は、容器本体や櫛付きキャップの表面に凹凸で成形したり、印刷などにより形成する。印としてはそれぞれの位置が一致するのみでなく、所定の印を超えたら十分に組み付けられたことを表すものとして形成してもよい。【選択図】図２
2007202719.tif 000002
【特許請求の範囲】
【請求項１】
外容器の内側に収縮自在な内容器を具え、口筒部の側面に前記外容器と前記内容器の間に空気を流入させる空気孔が設けられた容器本体と、前記内容器に連通する注出口を櫛歯近傍に具え、前記口筒部に組み付けられる櫛付きキャップからなり、前記空気孔の上方に空気弁を有し、前記櫛付きキャップの下部を前記容器本体に気密に密着させてなる櫛付き二重容器において、
前記櫛付きキャップと前記容器本体にそれぞれ印を付し、前記櫛付きキャップを前記容器本体に確実に組み付けたことを該印により示すようにしたことを特徴とする櫛付き二重容器。
【請求項２】
容器本体正面に表示面を具え、該表示面の左右側方に、該容器本体の縦方向に沿った滑止め部をそれぞれ設け、櫛付きキャップが容器本体に確実に組み付けられたとき前記滑止め部のいずれかの直上で前記印が一致するとともに櫛歯が前記いずれかの滑止め部の直上に位置するようにしたことを特徴とする請求項１に記載の櫛付き二重容器。
【発明の詳細な説明】
【技術分野】
【０００１】
本発明は、外容器の内側に収縮自在の内容器を具え、口筒部に櫛付きキャップを組み付けた櫛付き二重容器に関する。
【背景技術】
【０００２】
櫛付き二重容器は、外容器の内側に収縮自在の内容器を設けた、例えばデラミボトルと、デラミボトルの口筒部に組み付ける櫛付きキャップからなり、髪染め用の薬剤などを注出させながら櫛歯で髪を梳いて薬剤を付着できるようになっている。
【０００３】
髪染め用の薬剤は、主剤に副剤（活性化剤等）を混合させて使用するタイプが多く、かかるタイプの場合デラミボトルなどからなる容器本体に予め主剤が収納してあり、副剤を容器本体に注入して主剤と混合させた後、口筒部に櫛付きキャップを組み付けて使用していた。
【０００４】
またデラミボトルは、内容器が外容器から剥離可能に形成されており、外容器が押圧されると内容器も押圧されて内容液が注出され、容器側面の押圧を解除すると外容器と内容器の間に空気が流入する。そして次に外容器を押圧した場合に、外容器と内容器の間からの空気の流出が空気弁などで止められ、内容器に押圧力が加えられるので、口筒部を上に向けた状態でも常に内容液が櫛歯部分に注出されるようになっている。
【０００５】
外容器と内容器の間へ空気を一方向に流入させる方法としては、例えば、容器本体の口筒部外方に空気弁を組み付け、外容器を押圧すると空気弁が閉じ外容器と内容器の間からの流出を停止させ、外容器の押圧を解除すると、櫛付きキャップの上方に形成した開口部から空気弁を介して空気を取り入れ、容器本体の口筒部側面などに形成した空気導入口を通して外容器と内容器の間に空気を導入させるものが知られている。
【特許文献１】特開２００１−３２１２２２号公報
【発明の開示】
【発明が解決しようとする課題】
【０００６】
しかしながら上記口筒部側面に空気導入口を形成した櫛付き二重容器は、外容器と内容器の間へ空気を一方向に流入させるのに、櫛付きキャップの内側と口筒部の外側の形成された空間を利用しており、その空間の上方に空気弁を設け、その空間の下方を、櫛付きキャップの下部を容器本体に密着させることで閉鎖させている。そのため、櫛付きキャップを容器本体に確実に組み付けず、櫛付きキャップの下部が容器本体によって密閉されていないと、容器本体を押圧したときに櫛付きキャップの下部から空気が漏出し、容器本体を押圧しても外容器と内容器の間の圧力が上昇せず、内容液が櫛歯部分に注出されなくなる。
【０００７】
内容液が髪染め液など二液を混合するタイプでは、液を混合した後利用者が櫛付きキャップを容器本体に締め付けるため、櫛付きキャップの締め付けが不十分になることが考えられる。このように櫛付きキャップの締め付けが不十分であると、キャップ下部からの空気の漏れにより二重容器が正しく機能せず、内容液が十分に注出されないなど使いにくい容器であるとの誤解が発生することがある。
【０００８】
本発明は、使用時に櫛付きキャップを利用者が容器本体に確実に組み付け、正常な機能を十分に発揮できる使い勝手の良好な櫛付き二重容器を提供することを目的とする。
【課題を解決するための手段】
【０００９】
櫛付きキャップを容器本体に所定位置までねじ込んだとき、櫛付きキャップが容器本体に確実に取り付けられており、二重容器として正常に使用可能となったことが外観上見て取れるように櫛付き二重容器を形成した。
【００１０】
具体的には、例えば櫛付きキャップと容器本体の側面にそれぞれ対応する印を設け、正しく組み付けられたときに両者の位置が揃うようにする。印は、容器本体や櫛付きキャップの表面に凹凸で成形したり、印刷などにより形成する。印としてはそれぞれの位置が一致するのみでなく、所定の位置を超えたら十分に組み付けられたことを表すものとして形成してもよい。
【００１１】
または、櫛付きキャップを確実に組み付けると、櫛歯が所定の方向を向くように形成した。櫛歯の向きは、特定するものではなく、櫛付き二重容器の外観全体から櫛付きキャップが容器本体にきちんと組み付けられていることが印象付けられればよい。例えば櫛付きキャップを確実に組み付けると、櫛歯が容器本体の正面や裏面を向いたり、あるいは正面に対して直角の方向を向くようにするのが好ましい。
ここで容器本体の正面とは、容器を見た場合に、容器全体の印象を最も強く与える面、あるいは全体が最もよく理解できる面などをいう。例えば、商品名などを付した面である。
【００１２】
更に、容器本体の左右側方（商品名の印刷面を正面とする。）に凹凸などからなる滑止め部を縦方向に形成し、櫛付きキャップを締め付けたときいずれかの滑止め部と櫛歯が上下に一致するようにする。
【発明の効果】
【００１３】
本発明の櫛付き二重容器は、櫛付きキャップを所定の位置まで容器本体にねじ込むと、櫛付きキャップと容器本体のそれぞれに形成された印が互いに一致する。したがって、櫛付きキャップを容器本体に確実に組み付けていないと、不自然な感じを利用者に与えることにより、自然と利用者に櫛付きキャップを確実に組み付けさせる。また櫛付きキャップが容器本体に確実に組み付けられることにより、二重容器の機能を常に正常に機能させることができる。
【００１４】
更に櫛付きキャップを容器本体に所定の位置までねじ込むと、容器に設けられた印刷面を正面にしてその側方に、各印と、櫛歯と、滑止め部が縦方向に揃い、外観上非常に整った印象を容器全体から利用者に与えることができる。
【００１５】
滑止め部が手の滑りを防止し、滑りにくく取り扱い易い容器とすることができる。
【発明を実施するための最良の形態】
【００１６】
図１に櫛付き二重容器を示す。
【００１７】
櫛付き二重容器２は、櫛付きキャップ４と容器本体６からなり、正面に商品名としての「Ａ」の文字が印刷されている。櫛付きキャップ４は容器本体６の口筒部８（図５参照。）にネジ止めしてあり、容器本体６の内部には内容液（図示せず。）が収納されている。
【００１８】
櫛付きキャップ４は、櫛１０とキャップ部１２から形成されている。
【００１９】
櫛１０は、複数の櫛歯１６と、各櫛歯１６を保持する支持軸１４からなり、支持軸１４を介してキャップ部１２に取り付けてある。櫛歯１６は、支持軸１４に平行に取り付けてあり、櫛歯１６の上下端を除いた各櫛歯１６の先端付近に注出口１７が形成してある。注出口１７は、支持軸１４の軸と平行な方向に開口しており、支持軸１４の内部に形成された流路１５（図３参照。）と連通している。
【００２０】
キャップ部１２は、図３に示すようにキャップ体１８と、弁２０からなり、キャップ体１８の内面に形成された雌ネジ１３により口筒部８に螺合している。
【００２１】
キャップ体１８は、円筒状で、上部に取付部２２を有し、外側面に滑り止め用の突条１９と印５が形成してある。突条１９は、外側面に沿って複数縦方向に形成してある。印５は、櫛歯１６の直下の位置に一箇所、突条１９とほぼ同一の高さに、キャップ体１８と一体に成形してある。
【００２２】
取付部２２は、円錐台状の外筒壁２３と内筒壁２５の二重構造となっており、外筒壁２３と内筒壁２５は上部で連結している。外筒壁２３には、四方に図４に示すように導入口３が形成してあり、キャップ体１８の内部を外気に導通させている。
【００２３】
内筒壁２５は、円筒状で、下端で上方に折り返した部分の間に支持軸１４の下端が嵌合し、下方に延びた部分に弁２０の上部が組み付いている。
【００２４】
弁２０は、弁体２６と弁体２６を保持する保持具２８からなり、空気の流通を制御する空気弁と内容液の流通を制御する流通弁の双方の機能を有している。弁体２６は円筒状で、弾性を具えた樹脂からなり、上部外周にリング状の弁膜２８を具え、下部内側には円板状の弁膜２７を具えている。弁膜２８は、その外周端がキャップ体１８の内壁上部外周に接しており、導入口３からキャップ体１８内への流入方向にのみ通気可能としている。
【００２５】
保持具２８は、外筒２９と内筒３１を有し、内筒３１の内側に弁体２６が組み付き、外筒２９がキャップ本体１８の内側に嵌合している。外筒２９には周囲に切り欠き３３が形成してあり、切り欠き３３を介して空気が流通する。内筒３１は、底壁に流出口３６を具え、流出口３６には内側に弁膜２７が移動可能に密着している。弁膜２７により、流出口３６は内容液がキャップ体１８の外方への流出方向にのみ流通可能となっている。
【００２６】
容器本体６は、外容器３８の内側に内容器４０を有するデラミボトルであり、外容器３８と内容器４０にそれぞれ異なる樹脂を用いブロー成形で形成してある。
【００２７】
外容器３８は、胴部を押圧すると適度に変形、復元する弾性力を具えており、正面に文字や図柄などからなる商品名Ａが印刷してあり、左右両側面には、図２に示すような滑止め部９が凹凸により形成してある。内容器４０は、外容器３８の内面に外容器３８から剥離可能に一体に形成してある。
【００２８】
口筒部８の外周には雄ねじ１５が形成してあり、また口筒部８の下部には口筒部８より径の大きい首部１１が形成してある。首部１１は、櫛付きキャップ４を口筒部８に確実にねじ込むと、キャップ体１８の下部内面が首部１１の外周面に気密に密着するように形成してある。
【００２９】
更に口筒部８には、口筒部８を内外に貫通し、外容器３８と内容器４０の間に通じる空気孔３９が形成してある。空気孔３９の上方部分は、雄ねじ１５のねじ条が形成されておらず、口筒部８の上端から空気孔８まで延びる平坦部４１が形成してある。この平坦部４１により、雄ねじ１５に櫛付きキャップ４を螺合しても空気孔３９に口筒部８の上方から空気が流入する。
【００３０】
次に、櫛付き二重容器２の作用について、内容液を、髪を染めるための髪染め液とした場合を例に説明する。
【００３１】
髪染め液は、使用時に主剤に副剤を混合させる混合タイプである。主剤は容器本体６に収納してあり、口筒部８にキャップ（図示せず。）を組み付けて密封されている。副剤は、容器本体６とは別の副剤用容器（図示せず。）に収納してあり、通常、主剤を収納した容器本体６と、櫛付きキャップ４と、副剤を収納した容器を一組として、流通、販売等されている。
【００３２】
髪染めをしようとする利用者は、まず容器本体６のキャップを取り外し、副剤用容器から容器本体６の内部に副剤を注入する。そして、再度キャップを締めて上下に振るなどして容器本体６内で主剤と副剤を混合させる。
【００３３】
主剤と副剤が十分混合されたなら、口筒部８からキャップを取り外し、雄ねじ１５に雌ねじ１３を螺合して櫛付きキャップ４を図５に示すように口筒部８に組み付ける。
【００３４】
櫛付きキャップ４を口筒部８に螺合させていくと、キャップ体１８の下部が容器本体６の首部１１に当接して少しねじ込みに力がいるようになるが、印５と印７が一致していないので更に螺合が必要であると利用者が感じ、印５と印７が縦に一致するまで櫛付きキャップ４を回転させる。印５と印７が一致すると、櫛付きキャップ４が容器本体６に確実に組み付けられるとともに、利用者は印５と印７の一致により、櫛付きキャップ４を確実にねじ込んだことが確認できる。
【００３５】
更にかかる状態で櫛付き二重容器２は、商品名Ａの側方に櫛歯１６が正確に向き、かつ櫛歯１６と、印５と、印７と、滑止め部９が縦に一列に配置される。したがって、利用者はかかる外観から非常に整った印象を得ることができる。
【００３６】
更に櫛付き二重容器２はかかる状態で櫛付きキャップ４が容器本体６の口筒部８に確実に組み付いているので、首部１１から空気が漏出することがなく、デラミボトルとしての機能を確実に発揮できる。すなわち、容器本体６の胴部を押圧すると、外容器３８とともに内容器４０が押圧され内容液である髪染め液が弁膜２７を押し開いて流出し、支持軸１４から通路を通り注出口１７から注出される。そして、容器本体６の押圧を解除すると、弁膜２７は戻り流出口３６が閉じられ、外容器３８が復元する力で、導入口３から、弁膜２８、切り欠き３３、空気孔３９を通り外容器３８と内容器４０の間に空気が導入される。
【００３７】
そして次に容器本体６を押圧すると、弁膜２８がキャップ体１８の内面に密着して空気の流出を止めるので、押圧力が内容器４０に加えられ弁膜２７が作動し、流出口３６が開いて内容液が櫛歯１６から注出される。このように、櫛付きキャップ４の下部が首部１１に密着して櫛付きキャップ４の下部から空気を漏出させないことから、デラミボトルの機能が適切に作動して内容液が正確に注出される。
【００３８】
更に櫛付き二重容器２は、左右に設けられた滑止め部９により適度な滑り止め効果が得られ、容器本体６を押圧して内容液である髪染め液を注出口１７より注出させながら、櫛歯１６で髪を梳いて髪染め液を髪に付着させることができる。
【００３９】
尚、上記例では内容液を髪染め液としたが、本発明は髪染め液に限定するものではない。また容器本体６をデラミボトルとしたが、二重容器であれば外容器３８と内容器４０を一体で成形したデラミボトルでなくともよい。
【図面の簡単な説明】
【００４０】
【図１】本発明の櫛付き二重容器を示す正面図である。
【図２】図１の櫛付き二重容器を示す側面図である。
【図３】口部周辺を示す図４のＢ−Ｂ線部分断面図である。
【図４】図１の櫛付き二重容器を示す平面図である。
【図５】図１の櫛付き二重容器を示す分解組み立て図である。
【符号の説明】
【００４１】
２    櫛付き二重容器
３    導入口
４    櫛付きキャップ
５    印
６    容器本体
７    印
８    口筒部
９    滑止め部
１０  櫛歯部
１１  首部
１２  キャップ部
１３  雌ねじ
１４  支持軸
１５  雄ねじ
１６  櫛歯
１７  注出口
１８  キャップ体
１９  突条
２０  弁
２２  取付部
２３  外筒壁
２５  内筒壁
２６  弁体
２７  弁膜
２８  弁膜
２９  外筒
３１  内筒
３３  切り欠き
３６  流出口
３８  外容器
３９  空気孔
４０  内容器
４１  平坦部
【図１】
2007202719.tif 000003
【図２】
2007202719.tif 000004
【図３】
2007202719.tif 000005
【図４】
2007202719.tif 000006
【図５】
2007202719.tif 000007